(57)【要約】【課題】様々な要因によって生じる床材と壁面との間の隙間を容易に塞いで隠蔽することができ、床材を低コストにて敷設することが可能となる床寄せ材及びその床寄せ材を用いた床材の敷設方法を提供する。【解決手段】床寄せ材を、床材５０と壁面６０との間に形成された隙間７０内に設置される脚部材１０と、該脚部材１０に対して結合させて上記隙間７０を閉塞するための閉塞部材３０とから構成し、上記脚部材１０を、上記床材５０の端面５２に沿わせて配置するための胴部１１と、該胴部１１の上端部に設けられ、上方に向けて開口した係合溝１２とから形成すると共に、上記閉塞部材３０を、上記床材５０の上面５１に当接させるための鍔片３１及び上記壁面６０に当接させるための可撓性の巾木片３２を有する蓋部３３と、該蓋部３３から突設された上記係合溝１２に対して挿嵌される係合片３４とから形成した。【選択図】　　　　図３
2004068324.tif 000002
【特許請求の範囲】
【請求項１】
下地材上に敷設された床材の端面と壁面との間に形成される隙間を隠蔽するための床寄せ材であって、
上記下地材上に立脚させるための脚部材と、該脚部材に対して結合させて上記隙間を閉塞するための閉塞部材とから構成され、
上記脚部材は、上記隙間内において床材の端面に沿わせて配置するための胴部と、該胴部の上端部に、該胴部における上記床材の端面と対向させる一方の側面側に傾斜させ斜め上方に向けて設けられた第１係合部とを含み、
上記閉塞部材は、上記壁面に当接させるための可撓性を有する巾木片及び上記床材の上面に当接させるための鍔片からなる蓋部と、該蓋部の裏面から上記巾木片の先端側に傾斜させ斜め下方に向けて設けられた第２係合部とを含んでおり、
上記脚部材の第１係合部に上記閉塞部材の第２係合部を係合させることにより、上記閉塞部材が上記脚部材に対して結合されることを特徴とする床寄せ材。
【請求項２】
請求項１に記載された床寄せ材において、上記脚部材及び上記閉塞部材は、それぞれ樹脂による一体成形によって形成されていると共に、該脚部材と該閉塞部材における鍔片及び第２係合部とは、上記巾木片よりも硬質の樹脂から形成されており、該第２係合部が該鍔片の裏面に設けられていることを特徴とする床寄せ材。
【請求項３】
請求項１又は請求項２に記載された床寄せ材において、傾斜した上記第１係合部の下端部が、上記胴部における壁面と対向させる他方の側面側から突出し、該壁面に当接させるための凸部を形成していることを特徴とする床寄せ材。
【請求項４】
請求項１〜３の何れかに記載された床寄せ材において、上記巾木片には、該巾木片を屈曲させるための凹溝が、巾木片の長さ方向に沿って延設されていることを特徴とする床寄せ材。
【請求項５】
請求項１〜４の何れかに記載された床寄せ材において、上記第１係合部及び第２係合部は、係合溝と、該係合溝に挿嵌して係合させるための係合片との組であることを特徴とする床寄せ材。
【請求項６】
請求項１〜５の何れかに記載された床寄せ材を用いた床材の敷設方法であって、壁際の下地材上に脚部材を立脚させると共に、該下地材上に床材を敷設して、該脚部材の胴部を床材の端面と壁面との間に形成された隙間内に配置させ、
脚部材の第１係合部に対して閉塞部材の第２係合部を床板側斜め上方から係合させて、脚部材と閉塞部材とを結合させることにより、
閉塞部材の鍔片を床材の上面に当接させると同時に、可撓性の巾木片を壁面に沿わせて上方に曲がった状態で当接させて、上記隙間を閉塞することを特徴とする床材の敷設方法。
【発明の詳細な説明】
【０００１】
【発明の属する技術分野】
本発明は、住宅等に畳やフローリング材等の床材を敷設するにあたって、床材と壁面との間に形成される隙間を閉塞するための床寄せ材及びその床寄せ材を用いた床材の敷設方法に関するものである。
【０００２】
【従来の技術】
住宅において、例えば床材として畳を敷設するにあたっては、建物の施工誤差等により畳の敷設領域の寸法が規格通りとならないのが通常であるため、個々の部屋毎に採寸してその寸法に合わせて畳を製作する現場合わせが必要となり、作業が煩雑となってコストアップの要因になっているばかりでなく、納期に対する対応も非常に困難であった。
【０００３】
また、近年、畳の芯材として発泡樹脂ボード等の樹脂材が主に使用されているが、そのような畳は温度や湿度の変化等によって寸法変化を起こしやすく、しかも、部屋の構造材としての木材自体も、経年変化や温度及び湿度の変化等によって伸縮するため、例え畳の敷設領域を正確に採寸して畳を製作したとしても、壁面と畳との間に隙間が生じてしまうことがあるという問題点があった。
そしてこれらの問題点は、畳ばかりでなく、フローリング材など他の床材を敷設する場合においても同様にいえることである。
【０００４】
【発明が解決しようとする課題】
本発明は、上述のような事情に鑑みてなされたもので、様々な要因によって生じる床材と壁面との間の隙間を容易に塞いで隠蔽することができると共に、床材を低コストにて敷設することが可能となる床寄せ材及びその床寄せ材を用いた床材の敷設方法を提供することを目的とする。
【０００５】
【課題を解決するための手段】
上記課題を解決するために本発明に係る床寄せ材は、下地材上に敷設された床材の端面と壁面との間に形成される隙間を隠蔽するための床寄せ材であって、上記下地材上に立脚させるための脚部材と、該脚部材に対して結合させて上記隙間を閉塞するための閉塞部材とから構成され、上記脚部材は、上記隙間内において床材の端面に沿わせて配置するための胴部と、該胴部の上端部に、該胴部における上記床材の端面と対向させる一方の側面側に傾斜させ斜め上方に向けて設けられた第１係合部とを含み、上記閉塞部材は、上記壁面に当接させるための可撓性を有する巾木片及び上記床材の上面に当接させるための鍔片からなる蓋部と、該蓋部の裏面から上記巾木片の先端側に傾斜させ斜め下方に向けて設けられた第２係合部とを含んでおり、上記脚部材の第１係合部に上記閉塞部材の第２係合部を係合させることにより、上記閉塞部材が上記脚部材に対して結合されることを特徴とするものである。
【０００６】
このような本発明に係る床寄せ材によれば、縦横の寸法を一定の規格に統一して量産された床材を敷設して、建物の施工誤差等によって壁面との間に隙間が生じたとしても、壁際の下地材上に立脚された脚部材の第１係合部に対して、閉塞部材の第２係合部を床材側斜め上方から係合させることにより、容易に脚部材と閉塞部材とを結合させて上記隙間を塞いで隠蔽することができるため、床材の敷設施工が容易となり、床材を低コストにて敷設することが可能となる。そして、床材の敷設後に、経年変化や温度及び湿度の変化等によって建物の構造材や床材が伸縮し、上記隙間の幅が変化したとしても、該隙間を閉塞する蓋部が床材の上面に当接させるための鍔片と壁面に当接させるための可撓性の巾木片とを有しているため、上記隙間の変化を吸収することができ、しかも、壁際に埃等が集積するのを防止することもできる。
【０００７】
なお、上記床寄せ材において、上記脚部材及び上記閉塞部材が、それぞれ樹脂による一体成形によって形成されていると共に、脚部材と閉塞部材における鍔片及び第２係合部とが、上記巾木片よりも硬質の樹脂から形成され、該第２係合部が鍔片の裏面に設けられているとより好適である。
また、上記脚部材において、傾斜した上記第１係合部の下端部が、上記胴部における壁面と対向させる他方の側面側から突出し、該壁面に当接させるための凸部を形成していると、上記脚部材を下地材と壁面との２面で支持させて安定した状態で設置することができるため、閉塞部材の結合操作も容易となる。
【０００８】
また、上記巾木片に、該巾木片を屈曲させるための凹溝が、巾木片の長さ方向に沿って延設されていると、床寄せ材を設置した際に、巾木片を略直角に屈曲させて壁面に当接させることができ、見栄えをより良くすることができる。
また、上記第１係合部及び第２係合部は、係合溝と、該係合溝に挿嵌して係合させるための係合片との組とすることも可能である
【０００９】
更に、本発明に係る床寄せ材を用いた床材の敷設方法は、壁際の下地材上に脚部材を立脚させると共に、該下地材上に床材を敷設して、該脚部材の胴部を床材の端面と壁面との間に形成された隙間内に配置させ、脚部材の第１係合部に対して閉塞部材の第２係合部を床板側斜め上方から係合させて、脚部材と閉塞部材とを結合させることにより、閉塞部材の鍔片を床材の上面に当接させると同時に、可撓性の巾木片を壁面に沿わせて上方に曲がった状態で当接させて、上記隙間を閉塞することを特徴としている。
【００１０】
【発明の実施の形態】
以下、本発明の実施例について、図１から図３を用いて説明する。
本発明の実施例に係る床寄せ材１は、図１に示す脚部材１０と、図２に示す閉塞部材３０とから構成されており、図３に示すように、例えば畳やフローリング床等からなる床材５０と壁面６０との間に形成された隙間７０に沿って上記脚部材１０を設置すると共に、該脚部材１０に対して上記閉塞部材３０を結合させることにより、該隙間７０を塞いで隠蔽できるようになっている。
【００１１】
まず、上記脚部材１０は、硬質樹脂（硬質塩化ビニル樹脂）によって一体成形されたもので、上記隙間７０において床材５０の端面５２に沿って配置される胴部１１と、該胴部１１の上端部において、上記床材５０の端面５２と対向させる上記胴部１１の一方の側面側に傾斜させ、斜め上方に向けて開口された係合溝１２と、同じく胴部１１の下端に設けられ、上記床材５０が敷設される下地材８０上に載置して該胴部１１を立脚させるための平板状の脚部２４とから構成されている。
【００１２】
具体的に説明すると、上記胴部１１は、間隔を置いて平行に配置された一対の細長い側板１５，１６を、その中間部において連結片１７によって一体に連結して形成された中空材からなっている。
また、上記係合溝１２は、内面側に複数の第１の係合爪１８が奥方向に向かって並設された一対の側壁１９，２０と、その底面を形成する底壁２１とからなっており、上記第１の係合爪１８は、奥方向に向かって徐々に溝幅を縮小する傾斜面と急激に溝幅を拡大する垂直面とから形成され、係合溝１２内において、該第１の係合爪１８同士が互いに対向するように凸設されている。
更に、上記脚部２４は、下地材８０に固定すると共に、下地材８０と床材５０の下面５３との間に挟持させるための固定片１３と、脚片１４とから構成されており、上記固定片１３の上面には、タッカー等でステープルや釘等の固定部材９０を打ち込むための目印として、その長さ方向に沿ってＶ字状の溝２３が延設されている。
【００１３】
そして、上記胴部１１を形成する側板１５，１６のうち、床材５０側に配置される側面を形成する一方の側板１６の下端から、上記固定片１３が略直角に突設されており、該側板１６の上端には、上記係合溝１２における一方の側壁２０の開口縁が接続されている。一方、壁面６０側に配置される側面を形成する他方の側板１５は、上記一方の側板１６よりも短く形成されており、その下端からは、上記脚片１４が上記固定片１３とは反対の方向に略直角に突設されており、その上端には、上記係合溝１２における上記側壁２０の底壁２１側の端部が接続されている。
【００１４】
そうすることにより、上記係合溝１２は、上記胴部１１の上端部において床材５０側の斜め上方に向けて開口するように、上記側板１５，１６によって傾斜した状態に支持され、また同時に、傾斜した上記係合溝１２の下端部、すなわち係合溝１２の他方の側壁１９及び底壁２１によって形成された角部が、上記胴部１１の他方の側板１５から突出して凸部２２を形成し、その先端が壁面７０に当接するようになっている。その際、該凸部２２が確実に壁面７０に当接するように、該凸部２２の突出高さを上記脚片１４の突出高さ以上とするのが好ましい。このように、脚部材１０は、脚部２４及び凸部２２が下地材８０及び壁面６０によってそれぞれ支持される構成を有していることから、隙間７０内に安定的に設置することが可能となる。
【００１５】
一方、閉塞部材３０は、上記床材５０の上面５１に当接させるための鍔片３１及び上記壁面６０に当接させるための可撓性の巾木片３２からなる蓋部３３と、該蓋部３３の裏面から突設された係合片３４とから構成されており、上記脚部材１０の係合溝１２に上記係合片３４を挿嵌して係合させることにより、上記閉塞部材３０が脚部材１０に対して結合されるようになっている。なお、上記鍔片３１と巾木片３２と係合片３４とは、樹脂によって一体に成形されて上記閉塞部材３０を形成している。
上記鍔片３１は、脚部材１０と同じ硬質樹脂からなる板状体で、その一端側が裏面側に湾曲しており、隙間７０内に設置された脚部材１０に結合させた際に、その先端部が床材５０の上面５１に当接するようになっている。
【００１６】
また、上記巾木片３２は、軟質樹脂（軟質塩化ビニル樹脂）からなる板状体で、上記鍔片３１の他端に一体かつ面一に連設されている。そして、上記巾木片３２の上記壁面６０に当接させる裏面側であって、上記脚部材１０と結合させた際に上記凸部２２の先端のほぼ直上に位置する箇所には、凹溝３５が長さ方向に沿って延設されており、巾木片３２を該凹溝３５で表面側に略直角に屈曲させて、該凹溝３５よりも先端側に位置する部分の裏面を壁面６０に当接させるようになっている。なお、該凹溝３５は必ずしも設ける必要性はなく、単に上記巾木片３２をその表面側に湾曲させて、その裏面を壁面６０に対して当接させても良い。
【００１７】
さらに、上記係合片３４は、上記脚部材１０及び鍔片３１と同じ硬質樹脂からなっており、鍔片３１の裏面側における上記巾木片３２が連設された他端近傍から、上記巾木片３２の先端側に傾斜させ斜め下方に向けて突設されている。そして、該係合片３４の両面には、その先端に向かって上記第１の係合爪１８に係合する複数の第２の係合爪３６が並設されており、該第２の係合爪３６は、係合片３４の表面から急激に立ち上がって板厚を厚くする垂直面と、該係合片３４の先端に向かって徐々に板厚を薄くする傾斜面とから形成され、係合片３４の両面に、互いに背向するように凸設されている。
【００１８】
そこで、このような構成を有する床寄せ材１を用いて床材５０を敷設する方法について説明する。
まず、上記脚部材１０を、床材５０の敷設領域の壁際において、その脚部２４を下地材８０上に載置すると共に凸部２２を壁面６０に当接させて設置し、上記脚部２４の脚板１３の上面に設けられたＶ溝に沿って釘やステープル等の固定部材９０を打ち込むことにより、下地材８０上に固定する。
次に、床材５０を下地材８０上に敷設して、上記脚部材１０の胴部１１を、該床材５０の端部５２と壁面６０との間に形成された隙間７０内に配置させると共に、上記脚板１３を、下地材８０と床材５０の下面５３との間に挟持させる。
【００１９】
そして、上記胴部１１の上端部において、床材５０側の斜め上方に向かって開口するように、傾斜させて設けられた係合溝１２に対して、上記閉塞部材３０の係合片３４を位置決めし、その蓋部３３の表面側を床材５０側の斜め上方から押圧して、上記鍔片３１が床材５０の上面５１に当接するまで係合片３４を係合溝１２に挿嵌する。そうすると、該係合溝１２に凸設された第１の係合爪１８と上記係合片に凸設された第２の係合爪３６とが係合し、上記脚部材１０に閉塞部材３０が結合されて、該閉塞部材３０によって上記隙間７０が閉塞される。この時、上記可撓性の巾木片３２は、上記凹溝３５によって表面側すなわち壁面６０に沿って上方に略直角に屈曲されて、その裏面が壁面６０に当接している。なお、上記第１の係合爪１８と第２の係合爪３６とを係合させるにあたっては、床材５０の厚さに応じて、係合させる爪の数を適宜変更すればよい。
【００２０】
このように、本実施例に係る床寄せ材１及びその床寄せ材１を用いた床材５０の敷設方法によれば、縦横の寸法を一定の規格に統一して量産された床材５０を敷設した際に、建物の施工誤差等によって壁面６０との間に隙間７０が生じたとしても、その隙間７０に脚部材１０を下地材８０及び壁面６０の２面で支持させて固定設置すると共に、該脚部材１０に床材５０側の斜め上方から閉塞部材３０を結合することにより、該閉塞部材３０の蓋部３３で容易に上記隙間７０を塞いで隠蔽することができるため、床材５０の敷設施工が容易となるばかりでなく、床材５０を低コストにて敷設することが可能となる。
【００２１】
そして、床材５０の敷設後に、経年変化や温度及び湿度の変化等によって建物の構造材や床材５０が伸縮し、上記隙間７０の幅が変化したとしても、該隙間７０を閉塞する蓋部３３が、床材５０の上面５１に当接させる鍔片３１と、壁面６０に沿って上方に屈曲または湾曲させた状態で該壁面６０に対して当接させる可撓性の巾木片３２とを有しているため、上記隙間幅の変化を吸収することができ、しかも、壁際の埃等も容易に除去することができ、埃が壁際に集積するのを防止することもできる。
【００２２】
なお、本実施例においては、脚部材１０側に係合溝１２を設け、閉塞部材３０側にその係合溝１２に挿嵌するための係合片３４を設けたが、逆に、脚部材１０に係合片３４を、設け、閉塞部材３０に係合溝１２を設けても良いのは勿論である。
【００２３】
【発明の効果】
以上において詳述した本発明によれば、縦横の寸法を一定の規格に統一して量産された床材を敷設して、建物の施工誤差等によって壁面との間に隙間が生じたとしても、壁際の下地材上に立脚された脚部材の第１係合部に対して、閉塞部材の第２係合部を床材側斜め上方から係合させることにより、容易に脚部材と閉塞部材とを結合させて上記隙間を塞いで隠蔽することができるため、床材の敷設施工が容易となり、床材を低コストにて敷設することが可能となる。そして、床材の敷設後に、経年変化や温度及び湿度の変化等によって建物の構造材や床材が伸縮し、上記隙間の幅が変化したとしても、該隙間を閉塞する蓋部が床材の上面に当接させるための鍔片と壁面に当接させるための可撓性の巾木片とを有しているため、上記隙間の変化を吸収することができ、しかも、壁際に埃等が集積するのを防止することもできるという有利な効果が得られる。
【図面の簡単な説明】
【図１】本発明に係る床寄せ材を構成する脚部材の側面図である。
【図２】本発明に係る床寄せ材を構成する閉塞部材の側面図である。
【図３】本発明に係る床寄せ材を施工した状態を示す断面図である。
【符号の説明】
１　・・・・・・・・床寄せ材
１０　・・・・・・・脚部材
１１　・・・・・・・胴部
１２　・・・・・・・係合溝（第１係合部）
１８　・・・・・・・第１の係合爪
２２　・・・・・・・凸部
２４　・・・・・・・脚部
３０　・・・・・・・閉塞部材
３１　・・・・・・・鍔片
３２　・・・・・・・巾木片
３３　・・・・・・・蓋部
３４　・・・・・・・係合片（第２係合部）
３５　・・・・・・・凹溝
３６　・・・・・・・第２の係合爪
５０　・・・・・・・床材
５１　・・・・・・・床材の上面
５２　・・・・・・・床材の端面
５３　・・・・・・・床材の下面
６０　・・・・・・・壁面
７０　・・・・・・・隙間
８０　・・・・・・・下地材
【図１】
2004068324.tif 000003
【図２】
2004068324.tif 000004
【図３】
2004068324.tif 000005